(57)【要約】【課題】多数の光ディスクを格納したディスク格納容器と記録再生部との間で光ディスクを搬送し、情報データを記録再生する光ディスクライブラリ装置において、サーバ装置のデータベースを再構築するための時間を短縮する。【解決手段】ディスク格納容器内の１個のディスクを管理用ディスクとして、データベース用のファイル情報を書込む。サーバ装置のデータベースが使用できなくなった際には、管理用ディスクからファイル情報を読出して前記データベースが再構築される。管理用ディスクのファイル情報の更新は、ディスク格納容器を交換する際、又は所定の時間おきに行われる。管理用ディスクは記録再生部から最も遠いスリットに格納される。管理ディスクは例えばバーコードを備えることにより、他のディスクと容易に区別される。【選択図】図３Ａ
2014078287.tif 000002
【特許請求の範囲】
【請求項１】
複数の記録媒体を格納してデータを記録し再生するライブラリ装置であって、
当該ライブラリ装置に対して着脱自在であって前記複数の記録媒体を格納する記録媒体格納容器と、
前記データを前記記録媒体に対して記録し再生する記録媒体ドライブと、
前記記録媒体を前記記録媒体格納容器と前記記録媒体ドライブとの間で搬送する記録媒体搬送部と、
前記ライブラリ装置の全体の動作を制御する制御部と
を有し、
前記記録媒体格納容器は、１個の管理用記録媒体を備え、
前記制御部は、前記記録媒体格納容器が格納する他の記録媒体に記録されたデータに係るファイル情報を、前記記録媒体ドライブにおいて前記管理用記録媒体に対して記録し再生するよう制御する
ことを特徴とするライブラリ装置。
【請求項２】
請求項１に記載のライブラリ装置において、前記記録媒体は光ディスク記録媒体であり、前記記録媒体ドライブは光ディスクドライブであることを特徴とするライブラリ装置。
【請求項３】
請求項１に記載のライブラリ装置において、前記制御部は、前記複数の記録媒体の前記記録媒体格納容器における格納位置に係る情報を、前記管理用記録媒体に対して記録し再生するよう制御することを特徴とするライブラリ装置。
【請求項４】
請求項１に記載のライブラリ装置において、前記制御部は、前記管理用記録媒体に記録されたファイル情報を、前記記録媒体格納容器が前記ライブラリ装置から取り外される際に更新するよう制御することを特徴とするライブラリ装置。
【請求項５】
請求項１に記載のライブラリ装置において、前記制御部は、前記管理用記録媒体に記録されたファイル情報を、所定時間おきに更新するように制御することを特徴とするライブラリ装置。
【請求項６】
請求項１に記載のライブラリ装置において、前記制御部は、前記管理用記録媒体として用いる記録媒体を他の記録媒体に変更する場合には、前記管理用記録媒体に格納された前記ファイル情報を読取り不能とするように制御することを特徴とするライブラリ装置。
【請求項７】
請求項１に記載のライブラリ装置において、前記制御部は、前記管理用記録媒体の前記記録媒体格納容器における格納位置を、前記記録媒体ドライブから前記記録媒体搬送部を介して最も遠い位置とするように制御することを特徴とするライブラリ装置。
【請求項８】
請求項１に記載のライブラリ装置において、前記管理用記録媒体は、他の記録媒体と比較して大きさ、色の違いをはじめとする識別のための特徴を有することを特徴とするライブラリ装置。
【請求項９】
請求項１に記載のライブラリ装置において、前記記録媒体格納容器に格納された記録媒体のうち少なくも前記管理用記録媒体は、他の記録媒体と区別するためのバーコードを備えることを特徴とするライブラリ装置。
【発明の詳細な説明】
【技術分野】
【０００１】
本発明はライブラリ装置に係り、特に管理情報の再構築に要する時間を短縮したライブラリ装置に関するものである。
【背景技術】
【０００２】
情報データを記録再生するための記録媒体として、光ディスクを用いたストレージ装置が広く使われている。周知のとおり、光ディスクはストレージ装置に対して着脱が可能な記録媒体である。
光ディスクの記録容量は、最近のブルーレイディスクの普及と記録層の多層化により増加している。しかし、金融業界をはじめ多くの業界においては、大量のデータを長期にわたって保存する必要があるので、いっそうの記録容量の増加が望まれている。このため、データの長期保存に適した大容量のストレージ装置として、光ディスクライブラリ装置が開発されている。
【０００３】
光ディスクライブラリ装置は、複数の光ディスクを収容可能な収納部と光ディスクドライブ（以下、ＯＤＤ；Optical Disc Drive；と略記する）を内蔵する。当該ＯＤＤは、前記光ディスクに対し情報データを書込み、また読出しを行う。さらに、前記光ディスクライブラリ装置は、前記収納部に収納された光ディスクのいずれかを選択して前記ＯＤＤに対し装着し、また取外して前記収納部に収納するための搬送機構を有している。
特許文献１には、以上述べた光ディスクライブラリ装置（以下、ライブラリ装置と略記する）の一例が開示され、特にその冷却方法が開示されている。
【先行技術文献】
【特許文献】
【０００４】
【特許文献１】特願２０１１−２６３５３７号
【発明の概要】
【発明が解決しようとする課題】
【０００５】
前記したライブラリ装置は多くの場合、複数個のライブラリ装置を制御するサーバ装置の指示に基づいて動作する。１個のライブラリ装置が有する収納部には、例えば５００個という多数の光ディスクが収納されている。サーバ装置がライブラリ装置を制御するためには、各ライブラリ装置が備える個々の光ディスクに関する管理情報を、サーバ装置が知る必要がある。特に情報データを書込み、読出すためには、前記した管理情報のなかでもインベントリ（Inventory）と呼ばれるファイル情報が重要である。当該ファイル情報は、各情報データのファイルを記憶した光ディスク上での位置情報を有する。このため、サーバ装置は大容量のフラッシュメモリを有し、当該フラッシュメモリは前記した多数の光ディスクのファイル情報をデータベースとして記憶している。
【０００６】
サーバ装置の前記データベースが様々な要因により使用できなくなった場合には、データベースを早急に再構築する必要がある。ところが、データベースの再構築には長時間を要する問題がある。
５００個の光ディスクを収納した１個のライブラリ装置に対し、データベースの再構築に要する時間を大まかに見積もると、次のようになる。
【０００７】
例えば、振動、衝撃により光ディスクが前記収納部の収納スリットから外れ、外れた光ディスクが再度収納部に収納された際に、各光ディスクと収納スリットとの対応関係が変わった場合には、変わった後の対応関係を記憶する必要がある。このために、各収納スリットの光ディスクを１個ずつＯＤＤに搬送し、各光ディスクに対して固有に与えられたディスクＩＤを読取る必要がある。光ディスクを収納部とＯＤＤとの間で往復させる必要があるため、１個あたりに要する時間は４０秒程度となる。５００個では５．５時間を要する。
【０００８】
サーバ装置のデータベースが壊れて前記したファイル情報を読出せない場合には、同様に各収納スリットの光ディスクを１個ずつＯＤＤに搬送し、ｘｍｌ（Extensible Markup Language）ファイルを読取って記憶する必要がある。やはり、光ディスクを収納部とＯＤＤとの間で往復させる必要があるため、１個あたりに要する時間は４０秒程度、５００個では５．５時間を要する。
【０００９】
さらに、何らかの要因で前記したｘｍｌファイルを読出せない場合には、全ての光ディスク上のデータを読取って、前記したファイル情報自体を再構築して記憶する必要がある。光ディスクを収納部とＯＤＤとの間で往復させるほかに、光ディスクの全データを読取る必要があるため、例えば３層のＢＤ（Blu-ray Disc）を使用する場合には、５００個で４日程度の時間を要する。
【００１０】
なお、光ディスクの収納部は、後記するように交換することができる。前記したような事故がなくとも、収納部を交換した場合には、データベースの再構築に同様な時間を要することとなる。
しかしながら、前記したような長い時間をデータベースの再構築に費やすことは、ライブラリ装置が使用される業務を円滑に進行するうえで、望ましくない。
本発明の目的は前記した問題に鑑み、管理情報の再構築に要する時間を短縮したライブラリ装置を提供することにある。
【課題を解決するための手段】
【００１１】
前記課題を解決するため本発明は、複数の記録媒体を格納してデータを記録し再生するライブラリ装置であって、当該ライブラリ装置に対して着脱自在であって前記複数の記録媒体を格納する記録媒体格納容器と、前記データを前記記録媒体に対して記録し再生する記録媒体ドライブと、前記記録媒体を前記記録媒体格納容器と前記記録媒体ドライブとの間で搬送する記録媒体搬送部と、前記ライブラリ装置の全体の動作を制御する制御部とを有し、前記記録媒体格納容器は１個の管理用記録媒体を備え、前記制御部は前記記録媒体格納容器が格納する他の記録媒体に記録されたデータに係るファイル情報を、前記記録媒体ドライブにおいて前記管理用記録媒体に対して記録し再生するよう制御することを特徴としている。
【発明の効果】
【００１２】
本発明によれば、管理情報の再構築に要する時間を短縮したライブラリ装置を提供でき、当該装置の使い勝手の向上に寄与できるという効果がある。
【図面の簡単な説明】
【００１３】
【図１】一実施例におけるライブラリ装置の概観図である。
【図２】一実施例におけるライブラリシステムのブロック図である。
【図３Ａ】一実施例におけるディスク格納容器に係る第１の概観図である。
【図３Ｂ】一実施例におけるディスク格納容器に係る第２の概観図である。
【図４】一実施例におけるディスクの概観図である。
【発明を実施するための形態】
【００１４】
以下、本発明の実施例につき図面を用いて説明する。
まず、ライブラリ装置の構造と動作の概要を説明する。
周知のとおり、ＯＤＤが使用する記録媒体は、ドライブに対して着脱できる光ディスクである。光ディスクには、例えばＣＤ（Compact Disc）、ＤＶＤ（Digital Versatile Disc）、ＢＤ（Blu-ray Disc）がある。また光ディスクには、データの読出しのみができるＲＯＭ型（例えばＣＤ−ＲＯＭ）、一回のみデータの書込みができるＲ型（例えばＢＤ−Ｒ）、データの書換えができるＲＥ、ＲＡＭ、又はＲＷ型（例えばＢＤ−ＲＥ）がある。さらに光ディスクには、記録層を１層のみ有する単層ディスクと複数層有する多層ディスクがある。本実施例においては、これら全ての光ディスクを使用できるライブラリ装置であっても良く、また一部の光ディスクを使用するライブラリ装置であっても良い。
以下の説明では、光ディスクを単にディスクと記載する。
【００１５】
図１は、一実施例におけるライブラリ装置１の概観図である。ここでは、ライブラリ装置１の一部の外装を除去し、正面斜め上側から見た状態を示している。ここで言う正面側とは、ディスク格納容器の出入口１５１のある側を指している。
ライブラリ装置１に対して着脱できるディスク格納容器１５は、ディスク格納容器の出入口１５１からライブラリ装置１の奥行方向に挿入され、また排出される。挿入と排出の動作はユーザが手動で行っても良く、ライブラリ装置１がある程度の電動アシスト動作を行っても良い。ディスク格納容器１５には、ディスク１５２を複数（例えば２５０個）搭載することができる。図１では一例として、複数のディスク１５２が互いにレーベル面と記録面を対向させながら、略垂直に立てて搭載される場合を示している。光ディスクは片面記録ディスクに限らず、両面記録ディスクであっても良い。ディスク格納容器１５の内部の底面には、ディスク１５２を位置決めするためのスリット（図示せず）が設けられている。
【００１６】
ここでは、後記するディスク搬送部１３２を挟んで左右両側に２個のディスク格納容器１５が使用される例を示している。前記した例では、ライブラリ装置１はディスク１５２を５００個搭載することができる。これは一例であって、例えばディスク格納容器１５は１個であっても良い。また２個の場合では、いずれか一方のみを挿入した状態であっても、ライブラリ装置１は目的とした動作を行うことができる。
ディスク格納容器１５がライブラリ装置１に装着されると、その奥行側の先端はディスク記録再生部１２の近辺に位置する。
【００１７】
ディスク記録再生部１２は、ディスク格納容器１５と同様に、ディスク搬送部１３２を挟んで左右両側に１個ずつ設けられている。ディスク記録再生部１２はＯＤＤを有する。各ディスク記録再生部１２が有するＯＤＤは１個でも良いが、動作速度を高めるためには複数（例えば数個程度）であると良い。各ＯＤＤは周知のとおり、装着されたディスク１５２をスピンドルモータ（図示せず）で回転させ、光ピックアップを用いてデータを記録し、又は再生する。
【００１８】
ディスク移動部１３１、ディスク搬送部１３２、及びディスク搬送部の移動部１３３は、ディスク記録再生部１２とディスク格納容器１５との間でディスク１５２を搬送するための構成要素である。ディスク搬送部の移動部１３３は、例えばモータとギア（図示していないが、場所、形状とも特に限定されない）を介してディスク移動部１３１とディスク搬送部１３２を移動させる。
まず、ディスク１５２をディスク格納容器１５からディスク記録再生部１２へ搬送する場合を述べる。
【００１９】
例えばライブラリ装置１のリアパネル内の回路基板（図示せず）に実装されたディスク搬送制御部１３（ここではリアパネルに符号を付す）からの指示に基づき、ディスク搬送部の移動部１３３は前記指示に対応するディスクが格納されたディスク格納容器１５のスリットの位置に、ディスク移動部１３１とディスク搬送部１３２を移動させる。次いでディスク移動部１３１とディスク搬送部１３２内部の図示しないディスク移動機構が、例えばモータとギア（図示していないが、ディスク搬送部１３２が有しても良い）を介して移動されることにより、前記指示に対応したディスクをディスク格納容器１５からディスク搬送部１３２の内部に移動する。
【００２０】
次いで前記したディスク搬送制御部１３からの指示に基づき、ディスク搬送部の移動部１３３は、ディスク記録再生部１２が有するＯＤＤのうち前記指示に対応するＯＤＤの位置に、ディスク移動部１３１とディスク搬送部１３２を移動させる。さらに、ディスク搬送部１３２内部の図示しないディスク移動機構が、例えばモータとギアを介して移動されることにより、搬送するディスクをディスク搬送部１３２から前記ＯＤＤの内部に移動する。これにより、ディスク記録再生部１２は、新たに搬送されたディスクに対してデータの記録又は再生を行うことができる。
【００２１】
次に、ディスク１５２をディスク記録再生部１２からディスク格納容器１５へ搬送する場合を述べる。
ディスク搬送制御部１３からの指示に基づき、ディスク搬送部の移動部１３３は前記指示に対応するディスクが格納されたディスク記録再生部１２のＯＤＤの位置に、ディスク移動部１３１とディスク搬送部１３２を移動させる。次いでディスク搬送部１３２内部の図示しないディスク移動機構が、例えばモータとギアを介して移動されることにより、前記指示に対応したディスクを前記ＯＤＤからディスク搬送部１３２の内部に移動する。
【００２２】
次いで前記したディスク搬送制御部１３からの指示に基づき、ディスク搬送部の移動部１３３は、ディスク格納容器１５が有するスリットのうち前記指示に対応するスリットの位置に、ディスク移動部１３１とディスク搬送部１３２を移動させる。さらに、ディスク搬送部１３２内部の図示しないディスク移動機構が、例えばモータとギアを介して移動されることにより、搬送するディスクをディスク搬送部１３２からディスク格納容器１５の内部に移動する。これにより、ディスク記録再生部１２での動作を終えたディスクは、ディスク格納容器１５の内部に再び収納される。
【００２３】
以上のように動作することによりライブラリ装置１は、多数のディスクに対して高速のアクセスを行うことができ、大容量のデータを取扱うユーザに対する使い勝手を向上している。
なお、図１において例えば向かって右側のディスク格納容器１５に収納されたディスクがディスク搬送部１３２によりディスク記録再生部１２に搬送された際、左右いずれのディスク記録再生部１２のＯＤＤに装着されるかは任意に設定できる。また、各ディスクに対するディスク格納容器１５における格納位置を任意に設定することもでき、逆に一箇所に固定することもできる。これは、先のディスク搬送制御部１３の指示により決定される。
【００２４】
図２は、複数のライブラリ装置１を含むライブラリシステム３の一実施例を示すブロック図である。ここでは、８個のライブラリ装置１Ａ〜１Ｈが１個のサーバ装置２に統括制御されて動作するライブラリシステム３を示している。ライブラリ装置１とサーバ装置２は、データバス３１を介して接続されており、データバス３１はライブラリシステム３を動作させるための制御情報のほか、前記ファイル情報をはじめとする管理情報や情報データを伝送する。なお、ライブラリ装置１、サーバ装置２とも、その数は図示した例に限定されるものではない。
【００２５】
ディスク格納容器１５の各スリットに、いずれのディスク１５２が収納されているかを示す情報は、各スリットと各ディスクのディスクＩＤを対比させて、ライブラリシステム３のサーバ装置２にデータベースとして記憶されている。また、各ディスクに書込まれた情報データに関するファイル情報は、やはり前記サーバ装置２にデータベースとして記憶されている。サーバ装置２のデータ格納部２２は、例えばフラッシュメモリを有しており前記データベースを格納する。サーバ装置２の制御部２１は、ライブラリシステム３の全体の動作を制御し、例えばデータ格納部２２とライブラリ装置１との間での情報の授受を制御する。
【００２６】
サーバ装置２の前記データベースは、ディスク格納容器１５が交換された場合、いずれかのディスクを格納するスリットが変更された場合、いずれかのディスクに書込まれた情報データに追加、変更、削除が行われた場合には、新しい状態に対応するように書き替えられる。
前記したように、サーバ装置２のデータベースが様々な要因により使用できなくなった場合には、データベースを早急に再構築する必要がある。しかし、従来は再構築に要する時間が長いために、これを短縮することが要求されていた。
本実施例は、データベースを再構築する時間を短縮するために、次の事項を特徴としている。
【００２７】
まず、ディスク格納容器１５に格納されたディスクのうち１枚を管理用ディスクとする。当該管理用ディスクには、例えば前記ディスク格納容器１５に格納された２５０個のディスクに関するファイル情報が書込まれる。管理用ディスクに書込まれたファイル情報は、前記したサーバ装置２のデータベースと同様な情報を有し、当該データベースのバックアップとして使用される。即ち、何らかの要因により、サーバ装置２のデータベースを再構築する場合には、同じディスク格納容器１５に格納された多数のディスクに係るファイル情報のバックアップを、１個の管理用ディスクから読取ることができる。これにより、数分程度という短い時間でサーバ装置２のデータベースを再構築することができるという効果がある。
【００２８】
一般に、前記したファイル情報のデータ容量は２５６Ｂｙｔｅ以内とされる。１個のディスクに書込まれる情報データのファイル数は、最大で、ＣＤでは１万個、２層ＤＶＤでは１０万個、３層ＢＤで１００万個程度とされる。従って、同じディスク格納容器１５に格納された２５０（２４９）個のディスクのファイル情報を１個の管理用ディスクに書込むためには、ＣＤでは６４０ＭＢ、２層ＤＶＤでは６．４ＧＢ、３層ＢＤでは６４ＧＢの記録容量を、管理用ディスクが有する必要がある。ディスクの記録容量は、ＣＤ（単層）では７００ＭＢ、２層ＤＶＤでは９．４ＧＢ、３層ＢＤでは７５ＧＢであるので、管理用ディスクを１個としても記録容量が過大、又は過小であることはない。また、必ずしも直径１２ｃｍのディスクである必要はなく、直径８ｃｍのディスクであっても目的を果たすことができる。
【００２９】
サーバ装置２がライブラリ装置を制御する際には、通常はサーバ装置２のデータベースに基づいて制御される。前記管理用ディスクに記憶されるファイル情報は、あくまで前記データベースのバックアップであるので、頻繁に書替えられる必要はない。例えば、ディスク格納容器１５がライブラリ装置から取り外される時、或いは、一例として半日か１日という所定の時間おきに書替えられれば良い。このため、管理用ディスクを書替えるための時間がライブラリ装置の使い勝手に不都合を起こす恐れは殆どない。
以上述べた方法により、サーバ装置２のデータベースを読取れなくなった場合のみならず、ディスク格納容器１５が交換された場合にも、１個の管理用ディスクから同じディスク格納容器１５に格納された他のディスクのファイル情報を読取って、サーバ装置２のデータベースを再構築することができる。これにより、データベースの再構築に要する時間を大幅に短縮することができる。
【００３０】
サーバ装置２のデータベースのバックアップを、前記した管理用ディスクではなく、ディスク格納容器１５が有するフラッシュメモリに書込む方法も考えられる。しかし、一般に半導体メモリは光ディスクメモリと比較して、データの書替え可能な回数が少なく、また故障した際の交換が困難であり、さらには、価格とのバランスを考えると現状では使用できる記録容量が１〜２ＧＢ程度と小容量であるという、三つの課題がある。このため、前記したバックアップの記憶媒体としては、半導体メモリよりは光ディスクを用いることが望ましい。
【００３１】
前記した管理用ディスクを、ディスク格納容器１５に収納するためのスリットについて述べる。前記したように管理用ディスクに記憶されるファイル情報は、あくまで前記データベースのバックアップであるので、頻繁に書替えられる必要はない。従って、管理用ディスクがディスク搬送部１３２に搬送されて、ディスク格納容器１５とディスク記録再生部１２との間を往復する時間が長くとも、大きな問題はない。このため、管理用ディスクを収納するためのディスク格納容器１５におけるスリットは、ディスク記録再生部１２から最も遠いスリット、即ちディスク格納容器の出入口１５１に最も近いスリットであって良い。
【００３２】
図３Ａと図３Ｂは、一実施例におけるディスク格納容器１５と格納されたディスク１５２に係る第１と第２の概観図である。これらは、図１の右側のディスク格納容器１５における手前側の一部を、左斜め上側から見た概観図である。従って、ディスク格納容器１５がライブラリ装置１に取付けられた際には、図３Ａと図３Ｂの手前側に図１のディスク格納容器の出入口１５１がある。前記したように１個のディスク格納容器１５は多数のディスク１５２を格納できるが、ここではディスク格納容器の出入口１５１に近い側から５個のディスク１５２Ａ〜１５２Ｅが示されている。ディスク１５２は各々スリット１５３で位置決めされている。ここでは５個のディスク１５２Ａ〜１５２Ｅを位置決めするための５個のスリット１５３Ａ〜１５３Ｅが示されている。ディスク１５２の内、ディスク格納容器の出入口１５１に最も近く、ディスク記録再生部１２から最も遠いスリット１５３Ａで位置決めされるディスク１５２Ａは、前記した管理用ディスクである。
【００３３】
地震をはじめとする振動、衝撃により、管理用ディスク１５２Ａをはじめとする何個かのディスクが、ディスク格納容器１５からライブラリ装置１の中に脱落することがある。この際に、人がライブラリ装置１を復旧する場合を考えると、管理用ディスク１５２Ａを他のディスクと容易に区別できることが望まれる。このためには例えば、図３Ｂで示すように管理用ディスク１５２Ａを直径８ｃｍのディスクとする、管理用ディスクの色を他のディスクとは異なる色とする、或いは、図３Ａで示すように管理用ディスク１５２Ａのレーベル面にディスク格納容器１５に固有なＩＤ（１５２Ａ１）を記載する、という方法を用いると良い。
【００３４】
管理用ディスク１５２Ａが故障してファイル情報を読出せなくなった場合には、別のディスクを新たな管理用ディスクとし、サーバ装置２が有するデータベースを書込むと良い。この際に、ライブラリ装置１が以前の管理用ディスクを現在の管理用ディスクと誤って認識しないよう、以前の管理用ディスクからはデータの読取りが不可能になるようにすると良い。例えば、ディスクのリードイン領域を含む全てのデータ記録領域に、全て０のデータを記録するなどして、あえてデータを読取っても何も機能しないようにすると良い。
【００３５】
また前記したような不測の場合に、人の手によらず、ライブラリ装置１自身が装置を復旧させる機能を有することが期待される。この場合、ライブラリ装置１が管理用ディスク１５２Ａを他のディスクと容易に区別できることが重要である。そのための方法について一例をあげる。
図４は、一実施例におけるディスク１５２の概観図である。
【００３６】
まず、管理用ディスク１５２Ａに、図４に示すように管理用ディスク１５２Ａを判別するための固有のバーコード１５２１を設ける。バーコード１５２１は、図４の１５２１Ａのように管理用ディスク１５２のレーベル面にあっても良く、また１５２１Ｂのように外周部にあっても良く、その双方にあっても良い。ライブラリ装置１のディスク搬送部１３２は、バーコードリーダを備える。当該リーダにより前記バーコード１５２１を読取ることにより、容易に管理用ディスク１５２Ａを捜し出すことができる。
【００３７】
さらに、ディスク格納容器１５が有する全てのディスクに対して、当該ディスクを判別するためのバーコード１５２１を設けても良い。これにより、前記したように、何個かのディスクがディスク格納容器１５からライブラリ装置１の中に脱落した後、復旧時に格納するスリット１５３が変わった場合に、バーコード１５２１を読取って各スリット１５３に位置決めされたディスク１５２を判別することができる。従って、ディスク１５２をディスク記録再生部１２に搬送することなく、新たな状態を反映したサーバ装置２のデータベースと管理用ディスク１５２Ａに書込むバックアップが、短時間で作成することができる。
【００３８】
次に、サーバ装置２においてデータベースを格納するための記録媒体の記録容量について述べる。現在、当該記録媒体としては、フラッシュメモリに代表される半導体メモリが用いられている。仮にサーバ装置２に８個のライブラリ装置１が接続され、１６個のディスク格納容器１５に格納されたディスク１５２を制御する場合、ディスク１５２が全て３層ＢＤであれば、前記したバックアップの容量は１ＴＢ（１０００ＧＢ）以上となる可能性がある。この記録容量は、サーバ装置２が有するフラッシュメモリといえども、現状では膨大な値である。
【００３９】
本実施例のように、ディスク格納容器１５が管理用ディスクを有する場合には、当該管理ディスクをサーバ装置２のデータベースの格納場所として使用すれば、サーバ装置２は前記したような膨大な容量の半導体メモリを有する必要はない。この場合、サーバ装置２は、例えば１個のライブラリ装置（２個のディスク格納容器）が有するディスクに対応した容量の半導体メモリを備え、当該半導体メモリに管理用ディスクから読取ったファイル情報をデータベースとして書込む。１個のライブラリ装置に対する書込みの動作と、これに対応して前記サーバ装置２の半導体メモリのデータベースを更新する動作が終了した際には、他のライブラリ装置にアクセスを開始する前に、前記半導体メモリのデータベースを読出して、前記管理用ディスクのファイル情報を更新する。このようにすれば、サーバ装置２は膨大な容量のフラッシュメモリを必要としない。
ここまで示した実施形態は一例であって、本発明を限定するものではない。本発明の趣旨に基づきながら異なる実施形態を考えられるが、いずれも本発明の範疇にある。
【符号の説明】
【００４０】
１：ライブラリ装置、２：サーバ装置、３：ライブラリシステム、１２：ディスク記録再生部、１３：ディスク搬送制御部、１５：ディスク格納容器、２１：制御部、２２：データ格納部、３１：データバス、１３１：ディスク移動部、１３２：ディスク搬送部、１３３：ディスク搬送部の移動部、１５１：ディスク格納容器の出入口、１５２：ディスク、１５３：スリット、１５２１：バーコード。
【図１】
2014078287.tif 000003
【図２】
2014078287.tif 000004
【図３Ａ】
2014078287.tif 000005
【図３Ｂ】
2014078287.tif 000006
【図４】
2014078287.tif 000007